(57)【要約】      （修正有）【課題】複数の出版物を単一の電子出版物閲覧装置に格納した閲覧装置で閲覧出版物を選択する操作を従来の印刷出版物の選択に類似した操作にする。【解決手段】電子出版物のページを特定可能にするマーカ２３を記載する閲覧用書籍１１を読取るマーカ読取過程と、読み取ったマーカが指す電子出版物のページの情報を電子出版物情報格納部から取得する情報取得過程を含む電子出版物閲覧方法である。複数の出版物と同数のサブ格納部を有し、サブ格納部が閲覧中サブ格納部であり、残余のサブ格納部が休止中サブ格納部である。閲覧用書籍１１の表表紙１１１に表マーカ２１を記載し、閲覧用書籍の裏表紙１１２に裏マーカ２２を記載している。カメラが裏マーカを読取り引き続いて表マーカを読取ると、休止中サブ格納部の一つが閲覧中サブ格納部に状態が変更される過程を含む。【選択図】図２
2014126898.tif 000002
【特許請求の範囲】
【請求項１】
電子出版物を閲覧する方法であって、電子出版物のページを特定可能にするマーカを記載した閲覧用書籍を読取対象として、読取装置を使ってマーカを読み取るマーカ読取過程と、読み取ったマーカが指す電子出版物のページの情報を電子出版物情報格納部から取得する情報取得過程と、取得した電子出版物の情報を表示装置に表示する表示過程からなる電子出版物閲覧方法において、
前記電子出版物情報格納部は複数の出版物の情報を格納していて、出版物毎にそのページとそのページに相当する情報を対応付けて格納した、複数の出版物と同数のサブ格納部を有し、
前記複数のサブ格納部は読み出しの状態に依存して状態が異なり、前記複数のサブ格納部の中の一のサブ格納部が閲覧中サブ格納部であり、残余のサブ格納部が休止中サブ格納部であり、
前記閲覧用書籍の表表紙に表マーカを記載し、前記閲覧用書籍の裏表紙に裏マーカを記載していて、
前記読取装置が裏マーカを読取り引き続いて表マーカを読取ると、閲覧中サブ格納部の状態が更新されて、休止中サブ格納部の一つが閲覧中サブ格納部に状態が変更される過程である出版物更新過程を含み、
前記情報取得過程は、読み取ったマーカが指す電子出版物のページの情報を活動中サブ格納部から取得する課程であることを特徴とする電子出版物閲覧方法。
【請求項２】
前記出版物更新過程は、
前記読取装置が裏マーカを読み取ったとき、終了フラグがオン状態となり、前記終了フラグがオン状態で、かつ、前記読取装置が表マーカを読み取った場合に、休止中サブ格納部の一つが閲覧中サブ格納部に状態が変更される過程であることを特徴とする請求項１に記載した電子出版物閲覧方法。
【請求項３】
前記終了フラグは、オン状態となった時刻から一定時間である維持時間を経過するとオフ状態に変化するものであり、予め前記維持時間を設定しておくことを特徴とする請求項２に記載した電子出版物閲覧方法。
【請求項４】
電子出版物を閲覧する装置であって、電子出版物のページを特定可能にするマーカを記載した閲覧用書籍、読取装置と画像解析装置からなるマーカ読解手段、電子出版物情報格納部と表示装置からなり、マーカ読解手段により閲覧用書籍に記載されたマーカを読み取り、その読み取ったマーカの指す電子出版物のページの情報を電子出版物情報格納部から取得して前記表示装置に表示する電子出版物閲覧装置において、
前記電子出版物情報格納部は複数の出版物の情報を格納していて、出版物毎にそのページとそのページに相当する情報を対応付けて格納した、複数の出版物と同数のサブ格納部を有し、
前記複数のサブ格納部は読み出しの状態に依存して状態が異なり、前記複数のサブ格納部の中の一のサブ格納部が閲覧中サブ格納部であり、残余のサブ格納部が休止中サブ格納部であり、
前記閲覧用書籍の表表紙に表マーカを記載し、前記閲覧用書籍の裏表紙に裏マーカを記載していて、
前記マーカ読解手段が裏マーカを読取り引き続いて表マーカを読取ると、閲覧中サブ格納部の状態が更新されて、休止中サブ格納部の一つが閲覧中サブ格納部に状態が変更され、
前記表示装置に表示される情報は、活動中サブ格納部から取得する読み取ったマーカが指す電子出版物のページ情報であることを特徴とする電子出版物閲覧装置。
【請求項５】
請求項４に記載した電子出版物閲覧装置はさらに終了フラグを具備し、
前記マーカ読解手段が裏マーカを読み取ったとき、前記終了フラグがオン状態となり、前記終了フラグがオン状態で、かつ、前記マーカ読解手段が表マーカを読み取った場合に、休止中サブ格納部の一つが閲覧中サブ格納部に状態が変更されることを特徴とする電子出版物閲覧装置。
【請求項６】
前記終了フラグは、オン状態となった時刻から一定時間である維持時間を経過するとオフ状態に変化するものであり、予め前記維持時間が入力されることを特徴とする請求項５に記載した電子出版物閲覧装置。
【発明の詳細な説明】
【技術分野】
【０００１】
本発明は電子出版物閲覧方法と電子出版物閲覧装置に関するものである。
【背景技術】
【０００２】
電子出版物閲覧装置にあって、従来の印刷出版物の閲覧動作と同様の操作を行うことによって、電子書籍を閲覧することができる電子書籍閲覧装置が提案されている。例えば、特許文献１には、カメラ付きのヘッドマウントディスプレイを備えた電子書籍閲覧装置であって、マーカが印刷された電子出版物閲覧用書籍を用いて電子書籍を閲覧することができる電子書籍閲覧装置が開示されている。
【０００３】
この電子書籍閲覧装置によれば、電子出版物閲覧用書籍のマーカをカメラで読み取り、このマーカに予め対応付けられている電子書籍情報をデータベースから取得し、この取得した電子書籍情報をヘッドマウントディスプレイに表示させることができる。したがって、ユーザは、従来の印刷出版物の閲覧動作と同様に、電子出版物閲覧用書籍の頁を実際に物理的に捲ることにより、各頁に印刷されたマーカに対応する電子出版物情報を閲覧することができる。
【０００４】
一方、電子出版物閲覧装置は近年のエレクトロニクスの発達によりますます発展し、複数の電子出版物を単一の装置に格納し、これらを切り替えて閲覧が可能となっている。
【０００５】
しかし、閲覧出版物の選択操作はコンピュータ技術を踏襲した操作となっている。例えば、タッチパネルのような対話装置を使って閲覧出版物を選択している。このため、従来の電子出版物閲覧装置の出版物切替え操作は、印刷出版物の閲覧動作と大きく相違し、電子出版物は従来の印刷出版物読者を掴みきれていない。
【先行技術文献】
【特許文献】
【０００６】
【特許文献１】特開２００３−１５０５９９号公報
【発明の概要】
【発明が解決しようとする課題】
【０００７】
解決しようとする問題点は、複数の出版物を単一の電子出版物閲覧装置に格納した電子出版物閲覧装置で閲覧出版物を選択する操作において障害となる印刷出版物の選択と大きく相違する操作を、従来の印刷出版物の選択に類似した操作にする点である。
【０００８】
本発明のその他の課題は、本発明の説明により明らかになる。
【課題を解決するための手段】
【０００９】
本発明の一の態様にかかる電子出版物閲覧方法は、
電子出版物のページを特定可能にするマーカを記載した閲覧用書籍を読取対象として、読取装置を使ってマーカを読み取るマーカ読取過程と、読み取ったマーカが指す電子出版物のページの情報を電子出版物情報格納部から取得する情報取得過程と、取得した電子出版物の情報を表示装置に表示する表示過程からなる電子出版物閲覧方法において、
前記電子出版物情報格納部は複数の出版物の情報を格納していて、出版物毎にそのページとそのページに相当する情報を対応付けて格納した、複数の出版物と同数のサブ格納部を有し、
前記複数のサブ格納部は読み出しの状態に依存して状態が異なり、前記複数のサブ格納部の中の一のサブ格納部が閲覧中サブ格納部であり、残余のサブ格納部が休止中サブ格納部であり、
前記閲覧用書籍の表表紙に表マーカを記載し、前記閲覧用書籍の裏表紙に裏マーカを記載していて、
前記読取装置が裏マーカを読取り引き続いて表マーカを読取ると、閲覧中サブ格納部の状態が更新されて、休止中サブ格納部の一つが閲覧中サブ格納部に状態が変更される過程である出版物更新過程を含み、
前記情報取得過程は、読み取ったマーカが指す電子出版物のページの情報を活動中サブ格納部から取得する課程であることを特徴とする。
【００１０】
本発明の好ましい実施態様にあって、前記出版物更新過程は、前記読取装置が裏マーカを読み取ったとき、終了フラグがオン状態となり、前記終了フラグがオン状態で、かつ、前記読取装置が表マーカを読み取った場合に、休止中サブ格納部の一つが閲覧中サブ格納部に状態が変更される過程であってもよい。また、前記終了フラグは、オン状態となった時刻から一定時間である維持時間を経過するとオフ状態に変化するものであり、予め前記維持時間を設定しておくものであってもよい。
【００１１】
本発明の他の態様にかかる電子出版物閲覧装置は、
電子出版物を閲覧する装置であって、電子出版物のページを特定可能にするマーカを記載した閲覧用書籍、読取装置と画像解析装置からなるマーカ読解手段、電子出版物情報格納部と表示装置からなり、マーカ読解手段により閲覧用書籍に記載されたマーカを読み取り、その読み取ったマーカの指す電子出版物のページの情報を電子出版物情報格納部から取得して前記表示装置に表示する電子出版物閲覧装置において、
前記電子出版物情報格納部は複数の出版物の情報を格納していて、出版物毎にそのページとそのページに相当する情報を対応付けて格納した、複数の出版物と同数のサブ格納部を有し、
前記複数のサブ格納部は読み出しの状態に依存して状態が異なり、前記複数のサブ格納部の中の一のサブ格納部が閲覧中サブ格納部であり、残余のサブ格納部が休止中サブ格納部であり、
前記閲覧用書籍の表表紙に表マーカを記載し、前記閲覧用書籍の裏表紙に裏マーカを記載していて、
前記マーカ読解手段が裏マーカを読取り引き続いて表マーカを読取ると、閲覧中サブ格納部の状態が更新されて、休止中サブ格納部の一つが閲覧中サブ格納部に状態が変更され、
前記表示装置に表示される情報は、活動中サブ格納部から取得する読み取ったマーカが指す電子出版物のページ情報であることを特徴とする。
【００１２】
本発明の電子出版物閲覧装置の好ましい実施態様では、前記電子出版物閲覧装置はさらに終了フラグを具備し、前記マーカ読解手段が裏マーカを読み取ったとき、前記終了フラグがオン状態となり、前記終了フラグがオン状態で、かつ、前記マーカ読解手段が表マーカを読み取った場合に、休止中サブ格納部の一つが閲覧中サブ格納部に状態が変更されるものであってもよい。また、前記終了フラグは、オン状態となった時刻から一定時間である維持時間を経過するとオフ状態に変化するものであり、予め前記維持時間が入力されるものであってもよい。
【００１３】
以上説明した本発明、本発明の好ましい実施態様、これらに含まれる構成要素は可能な限り組み合わせて実施することができる。
【発明の効果】
【００１４】
本発明の電子出版物閲覧方法と電子出版物閲覧装置は、マーカ読取手段が閲覧用書物の裏表紙に記載された裏マーカと表表紙に記載された表マーカを引き続いて読み取れば電子出版物が変更される。つまり、最終ページまで読み進み、書物の裏表紙に至り、直後に表表紙に返すという従来印刷書物の読了操作を模した操作により、電子出版物が更新される。本発明の電子出版物閲覧方法と電子出版物閲覧装置は、従来の読了操作と同一操作により、出版物が更新されるので、なじみ深い操作方法で書物が更新され、コンピュータにうとい世代にも、容易に受け入れられる電子出版物閲覧方法と電子出版物閲覧装置が得られる利点がある。
【図面の簡単な説明】
【００１５】
【図１】図１は電子出版物閲覧装置の構成図である。
【図２】図２は閲覧用書籍の斜視図であり、図２（ａ）は本文を開いた状態を示し、図２（ｂ）は閲覧用書籍を閉じて裏表紙を上にして戴置した状態を示し、図２（ｃ）は閲覧用書籍を閉じて表表紙を上にして戴置した状態を示している。
【図３】図３は電子出版物閲覧装置の動作を説明するフローチャートである。
【発明を実施するための形態】
【００１６】
以下、図面を参照して本発明の実施例にかかる電子出版物閲覧方法と電子出版物閲覧装置をさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。また、符号である数字は部品などを集合的に示す場合があり、個別の部品などを示す場合に、当該数字のあとにアルファベットの添字を付けているものがある。
【００１７】
図１を参照して、電子出版物閲覧装置１は読取装置であるカメラ１２、表示装置であるヘッドマウントディスプレイ１６、制御装置３６と閲覧用書籍１１からなる。閲覧用書籍１１は図２に図示している。
【００１８】
読取装置は、カメラ、スキャナやバーコードリーダが挙げられる。表示装置は、ヘッドマウントディスプレイ、プロジェクター、テレビ、スマートホンが挙げられる。表示装置は、ヘッドマウントディスプレイ、プロジェクターが好ましい。これらの表示装置ではマーカーが記載された書籍上に書籍の内容を表す映像をオーバーレイ表示することが可能であり、まるで本物の書籍を読んでいるかのような臨場感あふれる表現ができる。その上、ヘッドマウントディスプレイは読書内容を周囲の人間に覗き見られることがないという特長もある。
【００１９】
ここでは、読取装置としてカメラ１２を、表示装置としてヘッドマウントディスプレイ１６を使用する電子出版物閲覧装置１を説明する。
【００２０】
制御装置３６は、カメラ画像入力部３１、画像解析装置１３、ページ情報読出部３４、表示装置書込部３５、制御部３２、電子出版物情報格納部１５と終了フラグ１７からなる。
【００２１】
カメラ１２と画像解析装置１３はマーカ読解手段である。
【００２２】
電子出版物情報格納部１５は少なくとも２以上の出版物の情報を格納している。２以上の出版物は、いかなる出版物の組合せであってもよい。例えば、単行本と週刊紙、○○全集第一巻と○○全集第三巻、分冊書籍の上巻と下巻、純文学小説と漫画本である。
【００２３】
本実施例にあっては、電子出版物情報格納部１５は、２つのサブ格納部である、サブ格納部Ａ１５１とサブ格納部Ｂ１５２を有している。サブ格納部Ａ１５１には、一の単行本のページ毎に、そのページ数の数字と当該ページ中の文章情報が対応付けられて格納されている。サブ格納部Ｂ１５２には、一の週刊紙のページ毎に、そのページ数の数字と当該ページ中の文章又は画像情報が対応付けられて格納されている。
【００２４】
電子出版物情報格納部１５中のサブ格納部状態保持部３３は、複数のサブ格納部のどれが現在閲覧中であるかという状態を保持する記憶部である。すなわち、サブ格納部状態保持部３３はページの数字を特定したページの情報読出し指示を受けた場合に、どのサブ格納部からページ情報を読出すかを記憶している。当該読出しを行うサブ格納部は閲覧中サブ格納部と呼ばれる。ある一の時刻において、閲覧中サブ格納部は単一である。複数存在するサブ格納部の中で、閲覧中サブ格納部を除くサブ格納部は休止中サブ格納部と呼ばれる。
【００２５】
閲覧中サブ格納部は通常、直前にページの情報読出し指示を受け、情報を読出した閲覧中サブ格納部の情報がそのまま保持されている。また、直前に更新の要求を受け、休止中サブ格納部の１つが閲覧中サブ格納部に状態が変更された場合は、当該変更後の閲覧中サブ格納部の情報を保持している。
【００２６】
制御部３２は、電子出版物閲覧装置１の動作全体を制御していて、例えば、カメラ画像入力部３１、画像解析装置１３と電子出版物情報格納部１５の動作タイミング、信号送受信等を制御している。
【００２７】
制御装置３６は、例えば、スマートホン、カメラ付コンピュータ、この電子出版物閲覧装置専用に作成したコンピュータなどである。上記の画像解析装置１３、ページ情報読出部３４などは、コンピュータに組み込まれたプログラムとＣＰＵ、ＲＡＭ、ＲＯＭなどにより実現できる。上記の電子出版物情報格納部１５は、例えば、コンピュータのハードメモリー内の一定部分を割り当てることで実現できる。
【００２８】
図２を参照して閲覧用書籍１１を説明する。閲覧用書籍１１は電子出版物の閲覧ページを特定するなどの目的に用いるものである。図２（ａ）に示すように閲覧用書籍１１の本文部分にはページを特定するマーカ２３ａ、２３ｂが記載されている。このページを特定する（ページ）マーカ２３をマーカ読解手段で読取る。読取り結果は通常数字を意味する信号である。（ページ）マーカ２３の復調信号を電子出版物情報格納部１５に送付すると、（ページ）マーカ２３で特定された電子出版物のページがヘッドマウントディスプレイ１６に表示される。
【００２９】
図２（ｃ）を参照して、閲覧用書籍１１はその表表紙１１１に表マーカ２１を記載している。同様に、図２（ｂ）を参照して、閲覧用書籍１１はその裏表紙１１２に裏マーカ２２を記載している。
【００３０】
閲覧用書籍１１を閉じた状態で裏表紙を見える状態にし、その直後に閲覧用書籍１１を裏返して表表紙が見える状態にする。つまり、閲覧用書籍１１を図２（ｂ）図示の状態におき、直後に閲覧用書籍１１を図２（ｃ）図示の状態におく。このような２つの状態はカメラ１２で、裏マーカ２２が読取られ、直後に表マーカ２１が読取られることで電子的に認識される。閲覧用書籍１１をこのように操作することにより、閲覧する出版物が切替えられる。
【００３１】
つまり、画像解析装置１３から電子出版物情報格納部１５に、裏マーカ２２の復調信号が送られ、直後に表マーカ２１の復調信号が送られると、サブ格納部状態保持部３３は、休止中サブ格納部の１つを閲覧中サブ格納部に状態変更し、直前時点での閲覧中サブ格納部を休止中サブ格納部に状態変更する。
【００３２】
サブ格納部が本実施例のように２個ある場合には、サブ格納部Ａ１５１とサブ格納部Ｂ１５２がそれぞれ閲覧中と休止中を交互に繰り返すことになる。電子出版物情報格納部にサブ格納部が３以上有る場合には、サブ格納部が閲覧中に変更される順序を定めておけばよい。順序を定める場合に、ＡＢＣＡＢＣでもよく、ＡＢＡＣＡＢＡＣとさだめてもよい（ここでＡＢＣはそれぞれ個別の電子出版物を指す）。
【００３３】
本発明において、マーカとは数値が一意に紐付けられた何らかの画像的特徴を意味する。マーカの例は、一次元バーコード、二次元バーコード、星型、菱形などの図形、紙に印刷された書籍を１頁づつスキャンして作成した画像、色情報、輪郭情報などである。マーカは法則に基づいて作成される画像自体にコードが埋め込まれている場合がある。また、マーカは画像の特徴と数値がルックアップテーブル中で対応付けられている場合がある。
【００３４】
マーカ記載の方法は、通常、黒色などの可視色インキを用いた印刷である。バーコードは一次元バーコードでもよく、二次元バーコードでもよい。バーコードは別途シールに作成したものを貼付けてもよい。また自然光下で視認できない特殊インクを用いて記載してもよい。もっともカメラ１２は当該特殊インク画像の撮影が可能である必要がある。
【００３５】
本実施例において、表マーカ２１は０（ゼロ）がコードされ、裏マーカ２２はｎがコードされ、（ページ）マーカ２３ａ、２３ｂは１からｎ−１までの数字がコードされている。ここで、ｎは正の整数である。
【００３６】
図３を参照しつつ、電子出版物閲覧装置の動作を説明する。図３は電子出版物閲覧装置１の動作を説明するフローチャートである。
【００３７】
まず処理全体の流れを説明し、その後、閲覧中の書籍を切り替える処理について説明する。
【００３８】
Ｓ１で電子出版物閲覧装置１が動作を開始する。Ｓ２で画像解析装置１３はマーカ画像を取得する。Ｓ３で画像解析装置１３はマーカ画像を読取り、コードであるＢＸの値を決定する。本実施例において、マーカは２次元コードであるから、「マーカ画像の読取り」はマーカ画像の復調と言い換えることもできる。
【００３９】
Ｓ４は現在閲覧中の書籍を読み終えたかどうかを判定するステップであり、ＢＸがｎであるか否かが判定される。ＢＸ＝ｎは裏マーカ２２が読取られたことを意味している。ＢＸ＝ｎが成立する（Ｙｅｓ）場合にはＳ１０のステップに移行する。
【００４０】
ここではまず処理全体の流れを示すため、書籍の中ほどのページを読んでいると仮定すると、ＢＸ≠ｎ（すなわち非成立（Ｎｏ））となり、Ｓ５のステップに移行する。Ｓ５ではＢＸが０であるか否かが判断される。ＢＸ＝０は表マーカ２１が読取られたことを意味している。書籍の中ほどのページを読んでいるので、ＢＸ≠０（すなわち非成立（Ｎｏ））となるからＳ６に移行する。Ｓ６のステップでは、ページ情報読出し部３４が閲覧中サブ格納部からＢＸに該当するページ情報を読出す。次にＳ７で表示装置書込部３５に情報が送られ表示装置に情報が表示される。
【００４１】
引き続くステップＳ８では制御部３２が終了割込み信号の有無を判断する。終了割込み信号が無い場合にはＳ２に戻り動作が繰り返される。Ｓ８で終了割込み信号が有ればＳ９に進み動作が終了する。以上が処理全体の流れとなる。
【００４２】
次に閲覧中の書籍を切り替える処理について説明する。
【００４３】
現在、書籍の最終ページを読んでいると仮定する。するとＳ４でＢＸ＝ｎが成立（Ｙｅｓ）となり、Ｓ１０のステップに移行する。Ｓ１０では終了フラグ１７をオン状態にする。この終了フラグ１７はオン状態となった後、一定時間経過すると自動的にオフ状態となる。これは使用者の意図しない書籍切り替え動作を防止するためである。終了フラグ１７をオン状態に維持する一定時間は予め入力しておけばよい。
【００４４】
ついでＳ５のステップに移行するが、この時点ではまだＢＸ＝ｎのままなので、Ｓ６、Ｓ７、Ｓ８へと移行し、またＳ２に戻り動作が繰り返される。
【００４５】
次に書籍内容を読み終えて一定時間内に閲覧用書籍の表マーカを読取る場合の処理を説明する。Ｓ５ではＢＸ＝０が成立（Ｙｅｓ）し、Ｓ１１へ移行する。Ｓ１１では終了フラグ１７がオン状態にあるかどうかを判定する。この時点ではまだ終了フラグ１７がオン状態に維持されていてＳ１２に移行する。Ｓ１２でサブ格納部状態保持部３３は閲覧中サブ格納部の状態を更新する。すなわち、休止中サブ格納部の一つが閲覧中サブ格納部に状態が変更され、また、閲覧中サブ格納部であったものが休止中サブ格納部に状態が変更される。次にＳ１３に移行する。Ｓ１３では終了フラグ１７をオフ状態にする。これも使用者の意図しない書籍の切り替え動作を防止するためである。以上が閲覧中の書籍を切り替える処理の説明である。
【００４６】
なお、上記で説明した使用者の意図しない書籍の切り替え動作を防止する方法はあくまで一例であり別の方法を用いても良い。例えば終了フラグ１７を用いる代わりに、Ｓ４においてＢＸ＝ｎが成立（Ｙｅｓ）と判断され、次にＳ５においてＢＸ＝０が成立（Ｙｅｓ）と判断されるまでの時間を計測し、例えば当該時間が２秒以内であればＳ１１のサブ格納部状態変更を実行し、当該時間が２秒を超える場合にはＳ１１のサブ格納部状態変更を行わないといった方法を用いても良い。
【００４７】
このような誤動作防止処理を施すことで、印刷書物を裏返すことにより出版物を変更するという意思表示がより確実に確認できる実施態様となる。
【００４８】
以上本発明にかかる一実施の形態について図面を参照して詳述してきたが、具体的な構成例はこの一実施の形態に限られるものではなく、本発明の要旨を逸脱しない範囲の設計変更などがあっても本発明に含まれる。
【符号の説明】
【００４９】
１    電子出版物閲覧装置
１１  閲覧用書籍
１２  読取装置であるカメラ
１３  画像解析装置
１５  電子出版物情報格納部
１６  表示装置であるヘッドマウントディスプレイ
１７  終了フラグ
２１  表マーカ
２２  裏マーカ
２３  （ページ）マーカ
１１１  表表紙
１１２  裏表紙
１５１  サブ格納部Ａ
１５２  サブ格納部Ｂ
【図１】
2014126898.tif 000003
【図２】
2014126898.tif 000004
【図３】
2014126898.tif 000005